(57)【要約】【課題】本発明は光学シート及びこれを含む液晶表示装置を提供する。【解決手段】本発明に係る光学シートは基膜及び前記基膜の一面に位置して、複数の山と谷を含むプリズム部を含み、前記プリズム部は複数の拡散粒子を含み、前記プリズム部は長さ方向に沿って配列されて、前記プリズム部の山の高さは前記長さ方向に沿って変わることを含むことができる。【選択図】図４
2008242454.tif 000002
【特許請求の範囲】
【請求項１】
基膜と、
前記基膜の一面に位置して、複数の山と谷を含むプリズム部を含み、
前記プリズム部は複数の拡散粒子を含み、
前記プリズム部は長さ方向に沿って配列されて、前記プリズム部の山の高さは前記長さ方向に沿って変わることを特徴とする光学シート。
【請求項２】
前記光学シートは前記基膜の他面に位置して、樹脂及び複数のビーズを含む保護層をさらに含むことを特徴とする、請求項１記載の光学シート。
【請求項３】
前記ビーズの直径は２乃至１０μｍであることを特徴とする請求項２記載の光学シート。
【請求項４】
前記プリズム部の山の高さはランダムまたは周期的に変わることを特徴とする、請求項１記載の光学シート。
【請求項５】
前記プリズム部は第１樹脂をさらに含み、
前記第１樹脂の重量を１００とした場合に、前記拡散粒子の重量が約１乃至１０であることを特徴とする、請求項１記載の光学シート。
【請求項６】
前記プリズム部は第１樹脂をさらに含み、
前記拡散粒子の屈折率と前記第１樹脂の屈折率の差は０．０１乃至０．５であることを特徴とする、請求項１記載の光学シート。
【請求項７】
前記プリズム部の山と谷は左右に曲がりくねったことを特徴とする、請求項１記載の光学シート。
【請求項８】
基膜と、
前記基膜の一面に位置して、複数の山と谷を含むプリズム部を含み、
前記プリズム部に含まれる複数の拡散粒子を含み、
前記プリズム部は長さ方向に沿って配列されて、前記プリズム部の山と谷は左右に曲がりくねったことを特徴とする光学シート。
【請求項９】
前記光学シートは第２樹脂及び複数のビーズを含む保護層をさらに含むことを特徴とする、請求項８記載の光学シート。
【請求項１０】
前記ビーズの直径は２乃至１０μｍであることを特徴とする、請求項９記載の光学シート。
【請求項１１】
前記プリズム部の山と谷はランダムまたは周期的に左右に曲がりくねったことを特徴とする、請求項８記載の光学シート。
【請求項１２】
前記プリズム部は第１樹脂をさらに含み、
前記第１樹脂の重量を１００とした場合に、前記拡散粒子の重量が約１乃至１０である請求項８記載の光学シート。
【請求項１３】
前記プリズム部は第１樹脂をさらに含み、
前記拡散粒子の屈折率と前記第１樹脂の屈折率の差は０．０１乃至０．５であることを特徴とする、請求項８記載の光学シート。
【請求項１４】
基膜と、
前記基膜の一面に位置して、第１樹脂及び複数の拡散粒子を含むプリズム部を含み、
前記拡散粒子の屈折率と前記第１樹脂の屈折率の差は０．０１乃至０．５であることを特徴とする光学シート。
【請求項１５】
前記拡散粒子はビーズであることを特徴とする、請求項１４記載の光学シート。
【請求項１６】
前記第１樹脂の重量を１００とした場合に、前記拡散粒子の重量が約１乃至１０であることを特徴とする、請求項１４記載の光学シート。
【請求項１７】
前記拡散粒子はポリメチルメタクリレート（ＰＭＭＡ）、ポリスチレン及びシリコンから成る群から選択された何れか一つ以上から成る請求項１４記載の光学シート。
【請求項１８】
前記プリズム部は複数の山と谷を含み、
前記山の高さは前記プリズム部の長さ方向に沿ってランダムに変わる請求項１４記載の光学シート。
【請求項１９】
前記光学シートは第２樹脂及び複数のビーズを含む保護層をさらに含むことを特徴とする、請求項１４記載の光学シート。
【請求項２０】
前記第２樹脂の重量を１００とした場合に、前記ビーズの重量が約１０乃至５０である請求項１９記載の光学シート。
【請求項２１】
光源と、
前記光源上に位置する光学シートと、
前記光学シート上に位置する液晶パネルを含み、
前記光学シートは、
基膜と、
前記基膜上に位置して、樹脂及び複数の拡散粒子を含むプリズム部を含み、
前記拡散粒子の屈折率と前記樹脂の屈折率の差は０．０１乃至０．５であることを特徴とする液晶表示装置。
【発明の詳細な説明】
【技術分野】
【０００１】
本発明は光学シート及びこれを含む液晶表示装置に関する。
【背景技術】
【０００２】
一般的に液晶表示装置（Ｌｉｑｕｉｄ Ｃｒｙｓｔａｌ Ｄｉｓｐｌａｙ、ＬＣＤ）は印加電圧による液晶透過度の変化を利用して各種装置から発生されるさまざまな電気的な情報を視覚情報に変化させて伝達する電子装置である。
【０００３】
一般的に、受光型表示装置で分類される液晶表示装置は画像を表示する液晶パネル以外に前記液晶パネル下部に配置されて前記液晶パネルに光を提供するバックライトユニットを含むことができる。
【０００４】
バックライトユニットは液晶パネルに光を提供するために光源及び光学シートなどから構成されることができる。ここで、光学シートは拡散シート、プリズムシートまたは保護シートなどを含むことができる。
【０００５】
前記の構成を持つ従来のバックライトユニットで光源から出射された光は拡散シートを通じて拡散した後、プリズムシートによって集光されることができる。
【０００６】
しかし、このように、光源から出射された光の拡散及び集光がそれぞれ別に製造される拡散シート及びプリズムシートなどによって成ることで、バックライトユニットの製造単価節減及び軽量、薄型化を果たすのに多くの限界がある。
【発明の開示】
【発明が解決しようとする課題】
【０００７】
本発明の目的は、別途の拡散シート及びプリズムシートなしに光学的特性を向上させることができる光学シート及びこれを含む液晶表示装置を提供することにある。
【課題を解決するための手段】
【０００８】
本発明の一つの実施形態に係る光学シートは基膜及び前記基膜の一面に位置して、複数の山と谷を含むプリズム部を含み、前記プリズム部は複数の拡散粒子を含み、前記プリズム部は長さ方向に沿って配列されて、前記プリズム部の山の高さは前記長さ方向に沿って変わることを含むことができる。
【０００９】
前記光学シートは前記基膜の他面に位置して第２樹脂及び複数のビーズを含む保護層をさらに含むことができる。
【００１０】
前記ビーズの直径は実質的に２μｍ乃至１０μｍであることがある。
【００１１】
前記プリズム部の山の高さはランダムまたは周期的に変わることができる。
【００１２】
前記プリズム部は第１樹脂をさらに含み、前記拡散粒子の重量は、第１樹脂の重量を１００とした場合に、実質的に１乃至１０であることができる。
【００１３】
前記プリズム部は第１樹脂をさらに含み、前記拡散粒子の屈折率と前記第１樹脂の屈折率の差は実質的に０．０１乃至０．５であることがある。
【００１４】
前記プリズム部の山と谷は左右に曲がりくねっていることができる。
【００１５】
本発明の他の実施形態に係る光学シートは基膜及び前記基膜の一面に位置して、複数の山と谷を含むプリズム部を含み、前記プリズム部に含まれる複数の拡散粒子を含み、前記プリズム部は長さ方向に沿って配列されて、 前記プリズム部の山と谷は左右に曲がりくねったことを含むことができる。
【００１６】
前記光学シートは前記基膜の他面に位置して第２樹脂及び複数のビーズを含む保護層をさらに含むことができる。
【００１７】
前記ビーズの直径は実質的に２μｍ乃至１０μｍであることがある。
【００１８】
前記プリズム部の山と谷はそれぞれランダムまたは周期的に左右に曲がりくねっていることができる。
【００１９】
前記プリズム部は第１樹脂をさらに含み、前記拡散粒子の重量は、第１樹脂の重量を１００とした場合に、実質的に１乃至１０であることができる。
【００２０】
前記プリズム部は第１樹脂をさらに含み、前記拡散粒子の屈折率と前記第１樹脂の屈折率の差は実質的に０．０１乃至０．５であることがある。
【００２１】
本発明のまた他の実施形態に係る光学シートは基膜及び前記基膜の一面に位置して、第１樹脂及び複数の拡散粒子を含むプリズム部を含み、前記拡散粒子の屈折率と前記第１樹脂の屈折率の差は実質的に０．０１乃至０．５であることを含むことができる。
【００２２】
前記拡散粒子はビーズであることができる。
【００２３】
前記拡散粒子の重量は、第１樹脂の重量を１００とした場合に、実質的に１乃至１０であることができる。
【００２４】
前記拡散粒子はポリメチルメタクリレート（ＰＭＭＡ）、ポリスチレン及びシリコンからなる群から選択された何れか一つ以上からなることができる。
【００２５】
前記プリズム部は複数の山と谷を含み、前記山の高さは前記プリズム部の長さ方向に沿ってがランダムに変わることができる。
【００２６】
前記光学シートは第２樹脂及び複数のビーズを含む保護層をさらに含むことができる。
【００２７】
前記ビーズの重量は、第２樹脂の重量を１００とした場合に、実質的に１０乃至５０であることができる。
【００２８】
本発明のまた他の実施形態に係る液晶表示装置は光源、前記光源上に位置する光学シート及び前記光学シート上に位置する液晶パネルを含み、前記光学シートは、基膜及び前記基膜の一面に位置して、第１樹脂及び複数の拡散粒子を含むプリズム部を含み、前記拡散粒子の屈折率と前記第１樹脂の屈折率の差は実質的に０．０１乃至０．５であることを含むことができる。
【発明の効果】
【００２９】
前記のように、本発明の一つの実施形態に係る光学シート及びこれを含む液晶表示装置はプリズム部内に複数個のビーズを含むことで、光を集光する役目と共に光を拡散する役目も遂行することができる利点がある。
【００３０】
また、本発明の一つの実施形態に係る光学シートを含む液晶表示装置はプリズム部の山と谷の形状を折れ曲がるようにしてプリズム部上部に接触する他のシートによる損傷を防止することができる利点がある。
【００３１】
また、本発明の一つの実施形態に係る光学シート及びこれを含む液晶表示装置は光学シート下部に保護層をさらに含むことで、光学シートの耐熱性及び機械的強度を向上させることができる利点がある。
【発明を実施するための最良の形態】
【００３２】
以下では本発明の一つの実施形態に係る具体的な実施形態を添付された図面を参照して説明する。
【００３３】
図１は本発明の一つの実施形態に係る液晶表示装置を示す断面図であり、図２は図１の液晶パネルの一つの実施形態を示す断面図である。
【００３４】
図１及び図２を参照すれば、本発明の一つの実施形態に係る液晶表示装置２００は外部から印加される駆動信号とデータ信号によって画像を表示する液晶パネル２１０と液晶パネル２１０を後面から照明するためのバックライトユニット２２０を備える。
【００３５】
液晶パネル２１０は下部基板２１０ａ、上部基板２１０ｂ、下部偏光フィルム２１１ａ、上部偏光フィルム２１１ｂ、カラーフィルター２１２、ブラックマットリックス２１３、共通電極２１４、ＴＦＴアレイ２１５、画素電極２１６及び液晶層２１７を含む。
【００３６】
カラーフィルター２１２はレッド、グリーン及びブルーにあたるカラーフィルターを含み、光が印加される場合レッド、グリーンまたはブルーにあたるイメージを発生させる。
【００３７】
ＴＦＴアレイ２１５はスイッチング素子として画素電極２１６をスイッチングする。
【００３８】
共通電極２１４及び画素電極２１６は外部から印加される所定電圧によって液晶層２１７の分子配列を変換する。
【００３９】
液晶層２１７は所定分子からなり、前記分子は画素電極２１６と共通電極２１４の間に印加された電圧差に相応して配列される。
【００４０】
その結果、以下のバックライトユニット２２０から提供される光が液晶層２１７の分子配列に相応してカラーフィルター２１２に入射される。
【００４１】
既に上で言及したのように、本発明を理解してこれを実施するにおいて、液晶パネル２１０の正確な構造的特性は重要ではなく、液晶表示装置に通常的に使われる何れかの構造の液晶パネルにも本発明の思想が手広く適用されることができる。したがって、本発明の技術的思想は以上言及した液晶パネル２１０の構造によって制限的に解釈されないである。
【００４２】
本発明の一つの実施形態に係るバックライトユニット２２０は光源部２３０、導光板２４０、反射シート２５０及び光学シート２６０を含み、選択的に、保護シート２８０をさらに含む。
【００４３】
本実施形態では、光源部２３０が導光板２４０の両側面に配置されるエッジ-ライト方式（ｅｄｇｅ−ｌｉｇｈｔ ｍｅｔｈｏｄ)に駆動される。本発明の他の実施形態で、光源部２３０は導光板２４０の一つの側面にだけ配置されるエッジ-ライト方式に駆動されることができる。
【００４４】
光源部２３０は所定の波長の光、例えば白色光を発生させる光源２３０ａと、光源２３０ａの外側に配置された光源反射板２３０ｂを含む。 
本発明の光源２３０ａは制限されることがなく、冷陰極蛍光ランプ（ＣＣＦＬ）、外部電極蛍光ランプ（ＥＥＦＬ）または発光ダイオード（ＬＥＤ）など多様な光源が使われることができる。
【００４５】
光源２３０ａから発生した光は導光板２４０の側面、すなわち光入射面にすぐ入射されるとか、光源２３０ａの外側に配置された光源反射板２３０ｂに反射して前記光入射面に入射される。
【００４６】
光源反射板２３０ｂは光源２３０ａから発生した光を導光板２４０側で反射させて導光板２４０に入射される光の量を増加させることで光効率を向上させる。このために光源反射板２３０ｂは反射性が高い物質で構成されて、その表面に銀（Ａｇ）をコーティングしたりする。
【００４７】
光源部２３０はバックライトユニット２２０の側面に位置するから、光源部２３０から発生された光がバックライトユニット２２０の全面にかけて均一に透過されないで端に集中される。
【００４８】
したがって、光を液晶パネル２１０の可視面の全面で均一に透過させるために導光板２４０が必要である。
【００４９】
導光板２４０はその側面に配置された光入射面を通じて入射された光を上部に配置された液晶パネル２１０の可視面（ｖｉｅｗｉｎｇ ｐｌａｎｅ）に実質的に平行な方向、すなわち前記光入射面と実質的に垂直である方向に伝送しながら光を混合して均一化する役目をする。
【００５０】
したがって、導光板２４０は光入射面に光が入射された後しきい角以下で連続的な全反射が起きるように設計される。導光板２４０の前面は液晶パネル２１０が配置された方向に光が出射されるための光出射面になる。
【００５１】
本発明の一つの実施形態に係る導光板２４０はポリメチルメタアクリレートのような透明アクリル樹脂で構成されることができる。
【００５２】
反射シート２５０は導光板２４０の底面に配置されて導光板２４０の底面に出射される光を反射させて導光板２４０に再入射させる役目をする。
【００５３】
本発明の一つの実施形態に係る反射シート２５０はＳＵＳ、Ｂｒａｓｓ、 アルミニウム、ＰＥＴ などから成るシートの上に銀（ｓｉｌｖｅｒ）を加えて、チタンコーティングして長時間吸熱による変形を阻むように製作されることができる。
【００５４】
また、本発明の他の実施形態に係る反射シート２５０はＰＥＴのような合成樹脂材のシートに光を散乱させるための気泡を分散させて製作されることができる。
【００５５】
導光板２４０から出射された光が液晶パネル２１０の可視面に有効に入射するようにして輝度を向上させて、液晶パネル２１０に入射される光を均一にさせて可視面の全面が均一な輝度分布を持つようにするのために、バックライトユニット２２０は一つ以上の光学部材を含む。
【００５６】
光学シート２６０は導光板２４０で低い角度に入射される光を液晶パネル２１０の可視面に垂直した方向の光に変調して液晶パネル２１０に集光させて広い有効視野角範囲を形成させる。光学シート２６０の詳細な構造に対しては後述する。
【００５７】
保護シート２８０は光学シート２６０上に位置して光学シート２６０の損傷を防止する。保護シート２８０は光学シート２６０が液晶パネル２１０と直接接触して発生する不良、例えばスクラッチを防止して、光学シート２６０によって狭められた視野角を一定範囲で広がるようにする役目を遂行することができる。
【００５８】
保護シート２８０は低いヘイズ（ｈａｚｅ）と高い透過度（ｔｒａｎｓｍｉｔｔａｎｃｅ）を特徴とする拡散層を含み、光学シート２６０から出射される強い光を液晶パネル２１０に最適で拡散させる。
【００５９】
本発明を理解してこれを実施するにおいて、保護シート２８０の正確な構造的、物質的特性は重要ではなく、バックライトユニットに通常的に使われる何れかの構造及び材料を利用した保護シート２８０にも本発明の思想が手広く適用されることができる。
【００６０】
また、本発明の光学シート２６０を採用したバックライトユニット２２０の場合、本発明の光学シート２６０が保護シート２８０の一部機能、すなわち、拡散機能も遂行することができるので、保護シート２８０なしにバックライトユニット２２０を構成しても関係ない。
【００６１】
図３は本発明の他の実施形態に係る液晶表示装置を示す断面図である。
【００６２】
図３を参照すれば、本発明は他の実施形態では直下型バックライトユニット３２０を採用した液晶表示装置３００を示す。
【００６３】
以下では、前述したエッジ-ライト方式のバックライトユニット２２０と差異を中心に説明して、同一乃至類似の構成要素に対しては同一の図面符号を使って、詳細な重複説明を略する。
【００６４】
光源３３０は液晶パネル２１０を照明するための所定の波長の光を放出する。本発明の光源３３０は制限されることがなく、冷陰極蛍光ランプ（ＣＣＦＬ）、外部電極蛍光ランプ（ＥＥＦＬ）または発光ダイオード（ＬＥＤ）など多様な光源が使われることができる。
【００６５】
光学プレート３４０は内部に一定なパターンが形成されていて光源３３０から発生した光の放射線をとり除く役目をする。光学プレート３４０は、 例えば、ポリメチルメタクリレート（Ｐｏｌｙｍｅｔｈｙｌ Ｍｅｔｈａｃｒｙｌａｔｅ；ＰＭＭＡ）から形成することができる。
【００６６】
フレーム３５０は光源３３０を受納するための空間を提供して、選択的に上部に反射シート３６０がさらに配置されることができる。
【００６７】
反射シート３６０は光源３３０から底部に放出する光を液晶パネル２１０ 方向に反射させることで、光の利用効率を向上させる。
【００６８】
本発明の一つの実施形態で、反射シート３６０はＳＵＳ、Ｂｒａｓｓ、アルミニウム、ＰＥＴなどからなるシートの上に銀（Ａｇ）を掛けて、チタンコーティングして長時間吸熱による変形を阻むように製作されることができる。
【００６９】
また、本発明の他の実施形態で、反射シート３６０はＰＥＴのような合成樹脂になったシートに光を散乱させるための気泡を分散させて製作されることができる。
【００７０】
前述したのように、液晶パネル２１０を後面から照明するためのバックライトユニット２２０として、光源２３０ａから発生する光が導光板２４０の一つの側面または両側面を通じて液晶パネル２１０に提供されるエッジ-ライト方式のバックライトユニット２２０ だけでなく、直下型バックライトユニット３２０にも本発明の技術思想は適用されることができる。
【００７１】
本発明を理解してこれを実施するにおいて、液晶表示装置の構成は図面に示すところに限定されないし、液晶表示装置に通常的に使われる何れの構成にも本発明の光学シートが手広く適用されることができる。
【００７２】
図４は本発明の一つの実施形態に係る光学シートを示す斜視図であり、図５は図４に示す光学シートの側面図である。
【００７３】
また、図６及び図７は本発明の他の実施形態に係る光学シートを示す斜視図であり、図８は図６に示す光学シートの側面図である。
【００７４】
図４、図６及び図７を参照すれば、本発明の光学シート（２６０Ａ及び２６０Ｂ）は基膜（２６２ａ、２６２ｂ）及びプリズム部（２６３ａ、２６３ｂ）を含む。図６に示された光学シート２６０Ｂの場合、図４に示された光学シート２６０Ａに比べて、保護層２７０ｂをさらに含む。
【００７５】
光学シート（２６０Ａ、２６０Ｂ）は光を透過させて、複数の山（２６４ａ、２６４ｂ）と谷（２６６ａ、２６６ｂ）がプリズム部（２６３ａ、２６３ｂ）を形成する。ここで、プリズム部（２６３ａ、２６３ｂ）の 山（２６４ａ、２６４ｂ）の高さは位置によって相異に形成される。
【００７６】
すなわち、図５及び図８に示されたのように、いずれか一つの方向に沿って山（２６４ａ、２６４ｂ）が連続的に形成されるが、山（２６４ａ、２６４ｂ）の高さは周期的に変わる。
【００７７】
前述した光学シート（２６０Ａ、２６０Ｂ）を製造する方法は特別に制限されないし、例えば、モールド(図示せず)を上下で周期的に振動させながら、光学シート（２６０Ａ、２６０Ｂ）の表面を加工して山（２６４ａ、２６４ｂ）の高さが周期的に変わるように形成することができる。
【００７８】
図５及び図８に示す光学シート（２６０Ａ、２６０Ｂ）の場合、山（２６４ａ、２６４ｂ）の最大高さが周期的に変わっていることに示されたが、本発明の思想はこれに限定されないし、山（２６４ａ、２６４ｂ）の最大高さは一定しながら、山（２６４ａ、２６４ｂ）の高さが周期的に変わるように構成することができることは勿論である。
【００７９】
光学シート（２６０Ａ、２６０Ｂ）の山（２６４ａ、２６４ｂ）の高さが変わる場合、他の光学部材との物理的接触量が減少されて、一定なパターンが液晶パネル２１０に反映されて現われるモアレ現象を緩和させることができる。
【００８０】
基膜（２６２ａ、２６２ｂ）は透過率、機械的性質(特に耐衝撃性)、耐熱性及び電気的性質を均衡あるように取り揃えた材料を使うことができる。このような材料の例としては熱可塑性樹脂、すなわち、ポリメチルメタクリレート（Ｐｏｌｙｍｅｔｈｙｌ Ｍｅｔｈａｃｒｙｌａｔｅ；ＰＭＭＡ）、ポリエチレンテレフタレート（Ｐｏｌｙｅｔｈｙｌｅｎ Ｔｅｒｅｐｈｔｈａｌａｔｅ；ＰＥＴ）またはポリカーボネート(Ｐｏｌｙｃａｒｂｏｎａｔｅ；ＰＣ)のような物質を利用するのが望ましい。
【００８１】
プリズム部（２６３ａ、２６３ｂ）は第１樹脂（２６７ａ、２６７ｂ）及び拡散粒子（２７８ａ、２６８ｂ）を含む。
【００８２】
第１樹脂（２６７ａ、２６７ｂ）は樹脂係物質で望ましくはアクリル係樹脂を使うことができる。アクリル係樹脂の例としてはポリアクリレート（Ｐｏｌｙａｃｒｙｌａｔｅ）またはポリメチルメタクリレート（ＰＭＭＡ）であることがある。
【００８３】
拡散粒子（２６８ａ、２６８ｂ）はプリズム部（２６３ａ、２６３ｂ）上に配置されて、基膜（２６２ａ、２６２ｂ）を通じて排出される光を散乱させる。拡散粒子（２６８ａ、２６８ｂ）は透明樹脂または所定濁度を持つ物質で構成されることができる。本発明の一つの実施形態で、拡散粒子（２６８ａ、２６８ｂ）はビーズから構成される。
【００８４】
また、拡散粒子（２６８ａ、２６８ｂ）の大きさは光学シート（２６０Ａ、２６０Ｂ）の使用環境によって多様に選択されることができるし、一定な大きさの拡散粒子またはバラ付きした大きさの拡散粒子が使われることができる。
【００８５】
ここで、拡散粒子（２６８ａ、２６８ｂ）の重量は、第１樹脂（２６７ａ、２６７ｂ）の重量を１００とした場合に、実質的に１乃至１０であることができる。
【００８６】
また、第１樹脂（２６７ａ、２６７ｂ）の屈折率と前記拡散粒子（２６８ａ、２６８ｂ）の屈折率の差は０．０１乃至０．５であることがある。
【００８７】
保護層２７０ｂは光学シート２６０Ｂの耐熱特性を向上させて、その下部に配置された導光板２４０または光学プレート３４０から進行される光を拡散させて光を均一にさせる。
【００８８】
詳しくは、保護層２７０ｂは第２樹脂２７２ｂと第２樹脂２７２ｂに分散した複数のビーズ２７４ｂを含む。
【００８９】
第２樹脂２７２ｂに使われる樹脂は透明であり、耐熱性と機械的特性が優秀なアクリル係樹脂を使うことができる。望ましくは、前記アクリル係樹脂はポリアクリレート(Ｐｏｌｙａｃｒｙｌａｔｅ)またはポリメチルメタクリレート（ＰＭＭＡ）である。
【００９０】
ビーズ２７４ｂは第２樹脂２７２ｂと同種または異種の樹脂を使って製作されることができるし、その重量は、第２樹脂２７２ｂの重量を１００とした場合に、１０乃至５０であることが望ましい。
【００９１】
ビーズ２７４ｂの直径は光学シート２６０Ｂの厚さによって適切に選択されることができるし、２μｍ〜１０μｍの大きさを持つように構成することができる。
【００９２】
本発明の一つの実施形態で、ビーズ２７４ｂの直径は実質的に同一であり、第２樹脂２７２ｂ内での分布も規則的である。実質的に同一な直径のビーズ２７４ｂが規則的に第２樹脂２７２ｂに分布されればヘイズ（ｈａｚｅ）効果は減少するがこれに反して輝度が上昇する効果がある。
【００９３】
一方、本発明の他の実施形態で、多様な直径のビーズ２７４ｂが不規則に第２樹脂２７２ｂに分布されることもできる。この場合、ヘイズ（ｈａｚｅ）効果が増加するから、物理的接触などによって発生したスクラッチなどの不良が液晶パネル２１０にそのまま映ることを防止する効果はさらに大きくなる。
【００９４】
また、保護層２７０ｂは光源（２３０ａ、３３０）で発生する熱によって光学シート２６０Ｂが変形されることを防止する。すなわち、耐熱性が強い第２樹脂２７２ｂによって光学シート２６０Ｂにしわができないし、高温で光学シート２６０Ｂが変形されても常温状態でまた元の状態の光学シート２６０Ｂの形状に戻る復元力が良い。
【００９５】
また、保護層２７０ｂは外部の衝撃やその他物理的な力によって光学シート２６０Ｂにきずが生ずることを阻んでくれる役目もする。
【００９６】
図９は本発明のまた他の実施形態に係る光学シートを示す斜視図であり、図１０は図９に示す光学シートの側面図である。また、図１１及び図１２は本発明のまた他の実施形態に係る光学シートを示す斜視図であり、図１３は図１１に示す光学シートの側面図である。
【００９７】
図９、図１１及び図１２を参照すれば、本発明の光学シート（４６０Ａ、４６０Ｂ）は基膜（４６２ａ、４６２ｂ）及びプリズム部（４６３ａ、４６３ｂ）を含む。
【００９８】
図１１及び図１２に示された光学シート４６０Ｂの場合、図９に示された光学シート４６０Ａに比べて、保護層（４７０ｂ）をさらに含む。
【００９９】
光学シート（４６０Ａ、４６０Ｂ）は光を透過させて、複数の山（４６４ａ、４６４ｂ）と谷（４６６ａ、４６６ｂ）がプリズム部（４６３ａ、４６３ｂ）を形成する。プリズム部（４６３ａ、４６３ｂ）は第１樹脂（４６７ａ、４６７ｂ）及び拡散粒子（４６８ａ、４６８ｂ）を含み、第１樹脂（４６７ａ、４６７ｂ）の重量を１００とした場合に、拡散粒子（４６８ａ、４６８ｂ）の重量は １乃至１０であることができる。さらに詳しい説明は前述の実施形態と同一であるので略する。
【０１００】
ここで、プリズム部（４６３ａ、４６３ｂ）の山（４６４ａ、４６４ｂ）の高さは位置によって相異に形成される。すなわち、図５b 及び図６cに示されたのように、何れか一つ方向に沿って山（４６４ａ、４６４ｂ）が連続的に形成するが、山（４６４ａ、４６４ｂ）の高さはランダムに変わる。
【０１０１】
前述した光学シート（４６０Ａ、４６０Ｂ）を製造する方法は特別に制限されないし、例えば、モールド(図示せず)を上下にがランダムに振動させながら、光学シート（４６０Ａ、４６０Ｂ）の表面を加工して山（４６４ａ、４６４ｂ）の高さがランダムに変わるように形成することができる。
【０１０２】
図１０乃至図１３に示す光学シート（４６０Ａ、４６０Ｂ）の場合、山（４６４ａ、４６４ｂ）の高さがランダムに変わるので、他の光学部材との接触によって発生する欠陷が外部から視覚的に検出されにくい。
【０１０３】
保護層（４７０ｂ）は光学シート４６０Ｂの耐熱特性を向上させて、その下部に配置された導光板２４０または光学プレート３４０から進行される光を拡散させて光を均一にさせる。
【０１０４】
本発明の一つの実施形態で、保護層（４７０ｂ）は第２樹脂４７２ｂと第２樹脂４７２ｂに分散した複数のビーズ４７４ｂを含む。第２樹脂４７２ｂ及びビーズ４７４ｂに対する詳細な説明は前述の実施形態で詳述したので略する。
【０１０５】
図１４は本発明の他の実施形態に係る光学シートを示す斜視図であり、
図１５は図１４に示す光学シートの平面図である。また、図１６及び図１７は本発明の他の実施形態に係る光学シートを示す斜視図であり、図１８は図１６に示す光学シートの平面図である。
【０１０６】
図１４、図１６及び図１７を参照すれば、本発明の光学シート（５６０Ａ、５６０Ｂ）は基膜（５６２ａ、５６２ｂ）及びプリズム部（５６３ａ、５６３ｂ）を含む。
【０１０７】
図１６に示す光学シート５６０Ｂの場合、図１４に示す光学シート５６０Ａに比べて保護層５７０ｂをさらに含む。
【０１０８】
光学シート（５６０Ａ、５６０Ｂ）は光を透過させて、複数の山（５６４ａ、５６４ｂ）と谷（５６６ａ、５６６ｂ）がプリズム部（５６３ａ、５６３ｂ）を形成する。ここで、前記プリズム部（５６３ａ、５６３ｂ）の山（５６４ａ、５６４ｂ）と谷（５６６ａ、５６６ｂ）は左右に曲がりくねっているように形成される。
【０１０９】
すなわち、図１５及び１８に示されたのように、光学シート（５６０Ａ、５６０Ｂ）の山（５６４ａ、５６４ｂ）と谷（５６６ａ、５６６ｂ）はそれぞれ周期的に左右に曲がりくねっているように形成される。
【０１１０】
前述した光学シート（５６０Ａ、５６０Ｂ）を製造する方法は特別に制限されないし、例えば、モールド(図示せず)を左右で周期的に往復移動させながら、光学シート（５６０Ａ、５６０Ｂ）の表面を加工して山（５６４ａ、５６４ｂ）と谷（５６６ａ、５６６ｂ）が左右に曲がりくねっているように形成することができる。
【０１１１】
プリズム部（５６３ａ、５６３ｂ）の山（５６４ａ、５６４ｂ）と谷（５６６ａ、５６６ｂ）が左右に曲がりくねっている場合、屈曲された面が形成されるので、光学シート（５６０Ａ、５６０Ｂ）を通じて排出される光が二次元的に屈折されることができる。
【０１１２】
基膜（５６２ａ、５６２ｂ）は透過率が良く、機械的性質(特に耐衝撃性)、耐熱性及び電気的性質を均衡に取り揃えた熱可塑性樹脂、例えば、制限されることなしにポリメチルメタクリレート（Ｐｏｌｙｍｅｔｈｙｌ Ｍｅｔｈａｃｒｙｌａｔｅ；ＰＭＭＡ）、ポリエチレンテレフタレート（Ｐｏｌｙｅｔｈｙｌｅｎ Ｔｅｒｅｐｈｔｈａｌａｔｅ；ＰＥＴ）またはポリカーボネート（Ｐｏｌｙｃａｒｂｏｎａｔｅ；ＰＣ）のような物質を利用するのが望ましい。
【０１１３】
プリズム部（５６３ａ、５６３ｂ）は第１樹脂（５６７ａ、５６７ｂ）及び拡散粒子（５６８ａ、５６８ｂ）を含む。
【０１１４】
第１樹脂（５６７ａ、５６７ｂ）は樹脂係物質で望ましくはアクリル係樹脂を使うことができる。アクリル係樹脂の例ではポリアクリレート（Ｐｏｌｙａｃｒｙｌａｔｅ）またはポリメチルメタクリレート（ＰＭＭＡ）であることがある。 
【０１１５】
拡散粒子（５６８ａ、５６８ｂ）はプリズム部（５６３ａ、５６３ｂ）の外面に附着して、光学シート（５６０Ａ、５６０Ｂ）を通じて排出される光を散乱させる。拡散粒子（５６８ａ、５６８ｂ）は透明樹脂または所定濁度を持つ物質で構成されることができる。本発明の一つの実施形態で、拡散粒子はビーズに構成される。
【０１１６】
また、拡散粒子（５６８ａ、５６８ｂ）の大きさは光学シート（５６０Ａ、５６０Ｂ）の使用環境によって多様に選択されることができるし、一定な大きさの拡散粒子またはバラ付きした大きさの拡散粒子が使われることができる。
【０１１７】
ここで、拡散粒子（６６８ａ、６６８ｂ）の重量は、第１樹脂（６６７ａ、６６７ｂ）の重量を１００とした場合に、実質的に１乃至１０であることができる。
また、第１樹脂（６６７ａ、６６７ｂ）の屈折率と前記拡散粒子（６６８ａ、６６８ｂ）の屈折率の差は０．０１乃至０．５であることがある。詳しい説明は前述の実施形態と同一であるので略する。
【０１１８】
保護層５７０ｂは光学シート５６０Ｂの耐熱特性を向上させて、その下部に配置された導光板または光学プレートから進行される光を拡散させて光を均一にさせる。
【０１１９】
詳しくは、保護層５７０ｂは第２樹脂５７２ｂと第２樹脂５７２ｂに分散した複数のビーズ５７４ｂを含む。
【０１２０】
第２樹脂５７２ｂに使われる樹脂は透明であり、耐熱性と機械的特性が優秀なアクリル係樹脂を使うことができる。望ましくは、前記アクリル係樹脂はポリアクリレート(Ｐｏｌｙａｃｒｙｌａｔｅ)またはポリメチルメタクリレート（ＰＭＭＡ）である。
【０１２１】
ビーズ５７４ｂは第２樹脂５７２ｂと同種または異種の樹脂を使って製作されることができるし、その重量は、第２樹脂５７２ｂの重量を１００とした場合に、１０乃至５０であることが望ましい。
【０１２２】
ビーズ５７４ｂの直径は光学シート５６０Ｂの厚さによって適切に選択されることができるし、２μｍ〜１０μｍの直径を持つように構成することができる。
【０１２３】
本発明の一つの実施形態で、ビーズ５７４ｂの直径は実質的に同一であり、第２樹脂５７２ｂ内での分布も規則的である。実質的に同一である直径のビーズ５７４ｂが規則的に第２樹脂５７２ｂに分布されればヘイズ（ｈａｚｅ)効果は減少するがこれに反して輝度が上昇する効果がある。
【０１２４】
一方、本発明の他の実施形態で、多様な直径のビーズ５７４ｂが不規則に第２樹脂５７２ｂに分布されることもできる。この場合、ヘイズ（ｈａｚｅ）効果が増加するから、物理的接触などによって発生したスクラッチなどの不良が液晶パネルにそのまま映ることを防止する効果はさらに大きくなる。
【０１２５】
また、保護層５７０ｂは光源から発生する熱によって光学シート５６０Ｂが変形されることを防止する。すなわち、耐熱性が強い第２樹脂５７２ｂによって光学シート５６０Ｂにしわができないし、高温で光学シート５６０Ｂが変形されても常温状態でまた元の状態の光学シート５６０Ｂの形状に戻る復元力が良い。
【０１２６】
また、保護層５７０ｂは外部の衝撃やその他物理的な力によって光学シート５６０Ｂにきずが生ずることを阻んでくれる役目もする。
【０１２７】
図１９は本発明の他の実施形態に係る光学シートを示す斜視図であり、 
図２０は図１９に示す光学シートの平面図である。
【０１２８】
また、図２１及び図２２は本発明の他の実施形態に係る光学シートを示す斜視図であり、図２３は図２１に示す光学シートの平面図である。
【０１２９】
図１９、図２１及び図２２を参照すれば、本発明の光学シート（６６０Ａ、６４６０Ｂ）は基膜（６６２ａ、６６２ｂ）及びプリズム部(６６３ａ、６６３ｂ）を含む。光学シート６６０Ｂの場合、光学シート６６０Ａに比べて保護層６７０ｂをさらに含む。
【０１３０】
光学シート（６６０Ａ、６６０Ｂ）は光を透過させて、複数の山(６６４ａ、６６４ｂ）と谷（６６６ａ、６６６ｂ）がプリズム部(６６３ａ、６６３ｂ）を形成する。ここで、前記プリズム部(６６３ａ、６６３ｂ）の山（６６４ａ、６６４ｂ）と谷（６６６ａ、６６６ｂ）は左右に曲がりくねっているように形成される。
【０１３１】
プリズム部(６６３ａ、６６３ｂ） は第１樹脂（６６７ａ、６６７ｂ） 及び拡散粒子（６６８ａ、６６８ｂ）を含み、 第１樹脂（６６７ａ、６６７ｂ）の重量を１００とした場合に、拡散粒子（６６８ａ、６６８ｂ）の重量は １乃至１０であることができる。 さらに詳しい説明は前述の実施形態と等しいので略する。
【０１３２】
すなわち、図２０及び図２３に示されたのように、光学シート（６６０Ａ、６６０Ｂ）の山（６６４ａ、６６４ｂ）と谷（６６６ａ、６６６ｂ）はそれぞれランダム（ｒａｎｄｏｍ）に左右に曲がりくねっているように形成される。
【０１３３】
前述した光学シート（６６０Ａ、６６０Ｂ）を製造する方法は特別に制限されないし、例えば、モールド(図示せず)を左右にランダムに往復移動させながら、光学シート（６６０Ａ、６６０Ｂ）の表面を加工して山（６６４ａ、６６４ｂ）と谷（６６６ａ、６６６ｂ）が左右に曲がりくねっているように形成することができる。
【０１３４】
図１９乃至図２３に示す光学シート（６６０Ａ、６６０Ｂ）の場合、山（６６４ａ、６６４ｂ）と谷（６６６ａ、６６６ｂ）がランダムに左右に曲がりくねっている形状を持つので、他の光学部材との接触によって発生する欠陷が外部で視覚的に検出されにくいし、一定なパターンが液晶パネルに反映されて現われるモアレ現象を緩和させることができる。
【０１３５】
保護層６７０ｂは光学シート６６０Ｂの耐熱特性を向上させて、その下部に配置された導光板または光学プレートから進行される光を拡散させて光を均一にさせる。
【０１３６】
本発明の一つの実施形態で、保護層６７０ｂは第２樹脂６７２ｂと第２樹脂６７２ｂに分散した複数のビーズ６７４ｂを含む。第２樹脂６７２ｂ及びビーズ６７４ｂに対する詳細な説明は前述したのようである。
【０１３７】
図２４は本発明のまた他の実施形態に係る光学シートの断面図である。
【０１３８】
図２４を参照すれば、本発明のまた他の実施形態に係る光学シート７３５は基膜７３１と、第１樹脂７３２及び複数個の第１ビーズ７３３を含むプリズム部７３４を含むことができる。
【０１３９】
基膜７３１は光源から入射される光を透過させる役目をする。このために、基膜７３１は光源から入射される光を透過させるべきであるので、光透過性物質、例えば、ポリエチレンテレフタレート、ポリカーボネート、ポリプロピレン、ポリエチレン、ポリスチレン及びポリエポキシからなる群から選択いずれかの一つからなることができるがこれに限定されない。
【０１４０】
プリズム部７３４は光源から入射される光を集光させる役目がある。
【０１４１】
プリズム部７３４はその断面が三角形形状形状を成すことができる。そして、 プリズム部７３４はプリズム部７３４の長さ方向に沿って線形的に形成されることで、外観上プリズム棒形状形状に形成されることができるが、これに限定されない。
【０１４２】
プリズム部７３４は第１樹脂７３２及び複数個の第１ビーズ７３３を含むことができる。第１樹脂７３２はアクリル樹脂であることができるし、第１ビーズ７３３はポリメチルメタクリレート（ＰＭＭＡ）、ポリスチレン及びシリコンからなる群から選択された何れか一つであることがある。
【０１４３】
ここで、第１ビーズ７３３の重量は、第１樹脂７３２の重量を１００とした場合、実質的に１乃至１０であることができる。
【表１】
2008242454.tif 000003
Ｘ：  悪い  ○: 優秀 ◎： 非常に優秀
【０１４４】
ここで、光屈折率特性（Ｌｉｇｈｔ ｒｅｆｒａｃｔｉｖｅ ｐｒｏｐｅｒｔｙ）の定義は集光及び拡散効果を現わす程度である。このような光屈折率特性によって本発明に係る光学シートは従来シート(ビーズがない)対比一つのシートでも正面輝度を８０％以上維持しながら、広い視野角を持つことができる。しかし、第１ビーズの重量が、第１樹脂の重量を１００とした場合に０．５以下であれば、拡散機能が著しく落ちて視野角が細くなるようになり、第１ビーズの重量が、第１樹脂の重量を１００とした場合に２０以上であれば集光機能が著しく落ちる場合がある。
【０１４５】
前記表１は、プリズム部７３４の第１樹脂７３２に対して第１ビーズ７３３の重量が０．５乃至１１の間で異なる値をとるときの光屈折率特性を実験したデータである。(光屈折率の程度が大きくなるほど優秀なことと判断した)
【０１４６】
表１からわかるように、プリズム部７３４の第１樹脂７３２の重量を１００とした場合に、第１ビーズ７３３の重量が１乃至１０である時の光屈折率特性が優秀なことが分かる。
【０１４７】
したがって、第１樹脂７３２の重量を１００とした場合に、第１ビーズ７３３の重量が実質的に１乃至１０である場合に、光の拡散効果に優れ視野角を向上させることができる利点がある。
【０１４８】
前記のように、前記第１樹脂７３２の重量を１００とした場合に前記第１ビーズ７３３の重量は１乃至１０であることが好ましい。第１樹脂７３２の１００の重量に対して第１ビーズ７３３の含量が１以上であると、光源から入射される光がビーズによって拡散しにくい問題点を防止することができるし、第１樹脂７３２の１００の重量に対して第１ビーズ７３３の含量が１０以下であると、光源から入射される光の透過率が低下されることを防止することができる利点がある。
【０１４９】
以下、本発明によって形成された光学シートと従来プリズムシートを通じて出射される光の輝度曲線を参照して比較説明する。
【０１５０】
図２５に示されたＡは本発明の光学シートの輝度曲線を示して、Ｂは従来のプリズムシートの輝度曲線を示す。また、Ｘ軸は本発明の光学シートと従来プリズムシートの法線方向に対する角度を示して、Ｙ軸はこれらの輝度の強さを示す。
【０１５１】
図２５を参照すれば、本発明の光学シートは一定角度範囲内で従来プリズムシートに比べて輝度の強さが低い。しかし、従来プリズムシートが一定な角度を離脱すれば、輝度が急激に減少するのに比べて本発明の光学シートは全体的に輝度が緩く減少する。したがって、本発明の光学シートは輝度の均一性を維持しながら広い有効視野角を提供することができる効果がある。
【０１５２】
この時、第１樹脂７３２内に分布される第１ビーズ７３３の粒子直径が一律的ではなく不規則な分布を持つことができる。
【０１５３】
また、第１樹脂７３２内に分布される第１ビーズ７３３は第１樹脂７３２内に規則的な分布を持たないで不規則な分布を持つことができる。
【０１５４】
この時、第１樹脂７３２内に分布される第１ビーズ７３３がプリズム部７３４の表面の上で露出しないようにプリズム部７３４内に完全に含まれることができる。
【０１５５】
前述の実施形態とはことなり、本発明の他の実施形態ではプリズム部７３４内に含まれた第１ビーズ７３３は前記第１樹脂７３２に対して０．０１乃至０．５の屈折率差を持つことができる。
【表２】
2008242454.tif 000004
Ｘ: 悪い ○: 優秀 ◎: 非常に優秀
【０１５６】
前記表２はプリズム部７３４の第１樹脂７３２の屈折率と第１ビーズ７３３の屈折率差を０．００５乃至０．６でそれぞれ異にして光拡散特性を実験したデータである。(光拡散程度が大きくなるほど優秀なことと判断した。)
【０１５７】
表２で見られるように、プリズム部７３４の第１樹脂７３２の屈折率と第１ビーズ７３３の屈折率差が０．０１乃至０．５である時の光拡散特性が優秀なことが分かる。
【０１５８】
したがって、第１樹脂７３２の屈折率と第１ビーズ７３３の屈折率差が実質的に０．０１乃至０．５であることで光の拡散効果が優秀で視野角を向上させることができる利点がある。
【０１５９】
したがって、第１ビーズ７３３の屈折率は第１樹脂７３２に対して０．０１以上の差を持つ場合には第１ビーズ７３３と第１樹脂７３２の屈折率差によって光が拡散して光学シートの拡散特性を向上させることができる利点があって、第１ビーズ７３３の屈折率が第１樹脂７３２に対して０．５以下の差を持つ場合には第１ビーズ７３３と第１樹脂７３２の屈折率差があまり大きくなって、光が液晶パネル方向に進む量が減少されることを防止することができる利点がある。
【０１６０】
すなわち、本発明の他の実施形態に係って、第１樹脂７３２に対して０．０１乃至０．５の屈折率差を持つ第１ビーズ７３３を含む光学シートを備えることで、導光板から入射された光が第１樹脂７３２、第１ビーズ７３３及び第１樹脂７３２を経りながら入射された光は屈折率差によって一定角度で拡散する。これにしたがって、第１ビーズ７３３を通しながら拡散した光が第１樹脂７３２を経りながらさらに拡散して光のヘイズ（ｈａｚｅ）が向上することができるし視野角も向上することができる利点がある。
【０１６１】
したがって、本発明の実施形態係る光学シートを含むバックライトユニットは次のように作動するようになる。
【０１６２】
光源から発生した光は光学シートに入射する。光学シートに入射した光の一部はプリズム部の第１ビーズとぶつかって経路を変更するようになって、   
他の一部の光はプリズム部の出射面を通じて液晶パネルに進行するようになる。
【０１６３】
第１ビーズとぶつかって経路が変更された光は燐接した他の第１ビーズにぶつかってまた経路が変更されてこれらの一部はプリズム部の出射面を通じて液晶パネルに進行されて、一部をまた他の第１ビーズにぶつかってまた経路が変更される。
【０１６４】
終わりにプリズム部の出射面をパスした光は液晶パネルに均等に入射するようになる。
【０１６５】
前記のように、光学シートに入射された光はプリズム部内部に形成された複数個の第１ビーズによって何回反射してその進行経路を変更しながら拡散するようになるので、光を集光して輝度を向上させることだけではなく、 拡散板の機能も遂行することができる。
【０１６６】
図２６及び図２７は本発明のまた他の実施形態に係る光学シートを概略的に示す図である。
【０１６７】
図２６及び２７を参照すれば、本発明のまた他の実施形態に係る光学シートは前述の実施形態と同一にプリズム部に複数個の第１ビーズと第１樹脂を含むことができる。したがって、下記では複数個の第１ビーズと第１樹脂に対する説明を略する。
【０１６８】
プリズム部８３４は基膜８３１上に並らびに位置して、山８３５及び谷８３６は連続的な屈曲を成すことができる。プリズム部８３４の断面は三角形形状であることができるし、プリズム部８３４の山８３５の間のピッチ（ｐｉｔｃｈ）は２０乃至３００μｍになることができる。
【０１６９】
プリズム部８３４の山８３５は左右がランダムしたジグザグ形状を持つことができるし、プリズム部８３４の山８３５の平均水平振幅は１乃至２０μｍであることがある。
【０１７０】
また、プリズム部８３４の谷８３６も左右がランダムしたジグザグ形状を持つことができるし、プリズム部８３４の谷８３６の平均水平振幅は１乃至２０μｍであることがある。
【０１７１】
また、プリズム部８３４の底面から山８３５の高さは周期的に変わることができる。例えば、山８３５の平均高さの差は１乃至２０μｍであることがある。
【０１７２】
前記のように、光学シート８００のプリズム部８３４の山８３５の水平振幅はがランダムに変わって、山８３５の高さは周期的に変わることができる。   
したがって、光学シート８００上部でこれと接触する他のシートとの物理的である接触によってプリズム部８３４の山８３５が崩れで発生するなどの欠陷が視覚的に易しく検出されにくいだけでなく、液晶表示装置の画質品位に影響を及ぼさないこともある。
【０１７３】
図２８は本発明の他の一つの実施形態に係る光学シートの断面図である。
【０１７４】
図２８を参照すれば、本発明の他の一つの実施形態に係る光学シート９００は基膜９３１の下部に複数個の第２ビーズ９４２を含む保護層９４０をさらに含むことができる。ここで、プリズム部９３４は複数個の第１ビーズと樹脂を含むことに前述の実施形態と同一であり以下では説明を略する。
【０１７５】
保護層９４０は光学シート９００の耐熱特性を向上させる役目ができる。 より詳しくは、保護層９４０は、第２樹脂９４１と第２樹脂９４１内に分散した複数個の第２ビーズ９４２を含むことができる。
【０１７６】
第２樹脂９４１は透明であり、耐熱性と機械的特性が優秀なアクリル係樹脂を使うことができる。アクリル係樹脂では例えば、ポリアクリレートまたはポリメチルメタクリレートであることができる。
【０１７７】
第２ビーズ９４２は第２樹脂９４１と同種または異種の樹脂を使って製作されることができるし、その重量は、第２樹脂９４１の重量を１００とした場合に１０乃至５０であることができる。
【０１７８】
第２ビーズ９４２の直径は基膜９３１の厚さによって適切に選択されることができるし、２乃至１０μｍであることがある。
【０１７９】
本発明の他の実施形態で、第２ビーズ９４２の直径は実質的に一定であって、第２樹脂９４１ 内での分布も規則的なことがある。これとは異なり、第２ビーズ９４２の大きさもお互いに異なり、第２樹脂９４１ 内での分布が不規則的なことがある。
【０１８０】
そして、前述の第１ビーズと第２ビーズ９４２はお互いに同一な物質を使うことができるし、これとはことなりお互いに相異することもできる。
【０１８１】
このような保護層９４０は光源から発生する熱によって光学シートが変形することを防止することができる。すなわち、耐熱性が強い第２樹脂９４１によってプリズムシートにしわができないし、高温で光学シートが変形されても常温状態でまた元の状態の光学シート形状に戻る復元力が優秀である。
【０１８２】
また、保護層９４０は外部の衝撃やその他の物理的な力によって光学シートにきずが生ずることを阻んでくれる役目もできる。
【０１８３】
図２９乃至図３０は本発明の実施形態に係る光学シートを含むバックライトユニットの構成を説明するための分解斜視図及び断面図である。
【０１８４】
図２９ではバックライトユニットとしてエッジ型（ｅｄｇｅ） バックライトユニットを示すし、本発明の光学シートは前述の光学シートと同一であるので重複される説明は略する。
【０１８５】
図２９及び図３０を参照すれば、本発明の一つの実施形態に係るバックライトユニット１０００は液晶表示装置に備えることができるし、液晶表示装置に備える液晶パネルに光を提供することができる。
【０１８６】
バックライトユニット１０００は光源１０２０及び光学シート１０３０を含むことができる。また、前記バックライトユニット１０００は導光板１０４０、反射板１０５０、ボトムカバー１０６０及びモールドフレーム１０７０をさらに含むことができる。
【０１８７】
光源１０２０は外部から印加される駆動電源を使って光を生成することができるし、生成された前記光を出射することができる。
【０１８８】
光源１０２０は例えば、導光板１０４０の長軸方向に沿って導光板１０４０の一側に少なくとも１個以上に形成されるとか、導光板１０４０の両側それぞれに少なくとも１個以上ずつ形成されることができる。ここで、光源１０２０から出射された光は導光板１０４０内部に直接入射されるとか、光源１０２０の一部、例えば、光源１０２０外注面の３/４位をくるむように形成された光源ハウジング１０２２に反射した後導光板１０４０内部に入射されることができる。
【０１８９】
光源１０２０は、具体的に、冷陰極管蛍光ランプ（Ｃｏｌｄ Ｃａｔｈｏｄｅ Ｆｌｕｏｒｅｓｃｅｎｔ Ｌａｍｐ：ＣＣＦＬ）、熱陰極管蛍光ランプ（Ｈｏｔ Ｃａｔｈｏｄｅ Ｆｌｕｏｒｅｓｃｅｎｔ Ｌａｍｐ：ＨＣＦＬ）、
外部電極蛍光ランプ（Ｅｘｔｅｒｎａｌ Ｅｌｅｃｔｒｏｄｅ Ｆｌｕｏｒｅｓｃｅｎｔ Ｌａｍｐ：ＥＥＦＬ）及び発光ダイオード（Ｌｉｇｈｔ Ｅｍｉｔｔｉｎｇ Ｄｉｏｄｅ：ＬＥＤ）の内何れか一つであることができるが、 これに限らない。
【０１９０】
光学シート１０３０は導光板１０４０上部に配置され、光源１０２０から入射される光を集光させる役目ができる。
【０１９１】
光学シート７３０は前述のように、基膜と、前記基膜上に位置して、樹脂及び複数個の第１ビーズを含むプリズム部とを有する。前記第１ビーズは、前記第１樹脂の１００の重量に対して１乃至１０の重量を含むことができるし、これとは異なり、第１ビーズは、前記第１樹脂に対して０．０１乃至０．５の屈折率差を持つことができる。
【０１９２】
したがって、光学シート１０３０は追加の光学シートが備えなくても光の輝度を向上させることができる利点がある。
【０１９３】
結果的に、本発明の一つの実施形態に係るバックライトユニット１０００の表示品質が向上することができる。
【０１９４】
導光板１０４０は光源１０２０と向い合うように配置されることができるし、光源１０２０から入射された光が上方に出射されるように前記光をガイドすることができる。
【０１９５】
反射板１０５０は導光板１０４０ 下部に配置されることができるし、光源１０２０から出射された光の内で導光板１０４０を経由して下方に出射された光を上方で反射させることができる。
【０１９６】
ボトムカバー１０６０は底部１０６２及び前記底部１０６２から延長されるように形成された側部１０６４からなり収納空間を形成することができるし、前記収納空間には光源１０２０、プリズムシート１０３０、導光板１０４０及び反射板１０５０が収納されることができる。
【０１９７】
モールドフレーム１０７０はおおよそ四角枠形状に形成されて、ボトムカバー１０６０の上側からトップダウン（ｔｏｐ ｄｏｗｎ）方式でボトムカバー１０６０と締結されることができる。
【０１９８】
一方、図３１及び３２は本発明の一つの実施形態に係るバックライトユニットの構成を説明するための分解斜視図及び断面図である。
【０１９９】
図３１及び３２ではバックライトユニットとして直下型バックライトユニットを示すが、本発明がこれに限定されない。一方、図３１及び３２に示されたバックライトユニットは光源の配置及びそれによる構成要素の変更を除き、実質的に、図２９及び図３０に示されたバックライトユニットと等しいので、重複される説明は略して、その特徴に対してだけ説明する。
【０２００】
図３１及び図３２を参照すれば、本発明の一つの実施形態に係るバックライトユニット１１００は液晶表示装置に備えることができるし、液晶表示装置に備える液晶パネルに光を提供することができる。
【０２０１】
前記バックライトユニット１１００は光源１１２０及び光学シート１１３０を含むことができる。また、前記バックライトユニット１１００は反射板１１５０、ボトムカバー１１６０、モールドフレーム１１７０及び拡散板１１８０をさらに含むことができる。
【０２０２】
光源１１２０は拡散板１１８０の下部に少なくとも１個以上配置されることができる。このために、光源１１２０から出射された光が直接拡散板１１８０に入射されることができる。
【０２０３】
光学シート１１３０は拡散板１１８０上部に配置されることができる。前記光学シート１１３０は光源１１２０から入射される光を集光させる役目ができる。
【０２０４】
光学シート１１３０は前述のように、基膜と、前記基膜上に位置して、第１樹脂及び複数個の第１ビーズを含むプリズム部とを有する。前記第１ビーズは、前記第１樹脂の１００の重量に対して１乃至１０の重量を含むことができるし、これとは異なり、第１ビーズは、前記第１樹脂に対して０．０１乃至０．５の屈折率差を持つことができる。
【０２０５】
したがって、光学シート１１３０は追加の光学シートが備えなくても光の輝度を向上させることができる利点がある。
【０２０６】
結果的に、本発明の一つの実施形態に係るバックライトユニット１１００の表示品質が向上することができる。
【０２０７】
拡散板１１８０は光源１１２０及び光学シート１１３０の間に配置されることができるし、光源１１２０から入射された光を上方で拡散させることができる。これは光源１１２０の形状がバックライトユニット１１００を通じて見えないようにすることと共に前記光をさらに拡散させるためのことである。
【０２０８】
一方、図３３及び図３４は本発明の一つの実施形態に係る液晶表示装置の構成を説明するための分解斜視図及び断面図である。図３３及び図３４ではバックライトユニットとして図２９ 及び３０に示されたバックライトユニットを示すが、本発明がこれに限定されないし、前記バックライトユニットで図３１及び３２に示されたバックライトユニットが採用されても関係ない。一方、図３３及び図３４に示されたバックライトユニットは前述したのと同一であるので、重複される説明は略して、その特徴に対してだけ説明する。
【０２０９】
図３３及び図３４を参照すれば、本発明の一つの実施形態に係る液晶表示装置１２００は液晶の電気光学特性を利用して画像を表示することができる。
【０２１０】
前記液晶表示装置１２００はバックライトユニット１２１０及び液晶パネル１３１０を含むことができる。
【０２１１】
バックライトユニット１２１０は液晶パネル１３１０下部に装着されることができるし、液晶パネル１３１０に光を提供することができる。
【０２１２】
前記バックライトユニット１２１０は光源１２２０及び光学シー１２３０を含むことができる。また、前記バックライトユニット１２１０は導光板１２４０、反射板１２５０、ボトムカバー１２６０及びモールドフレーム１２７０をさらに含むことができる。
【０２１３】
液晶パネル１３１０はモールドフレーム１２７０上に安着されて、ボトムカバー１２６０とトップダウン方式に締結されるトップカバー１３２０によって固定されることができる。
【０２１４】
液晶パネル１３１０はバックライトユニット１２１０から提供される光、 具体的に、光源１２２０から出射される光を利用して画像を表示することができる。
【０２１５】
液晶パネル１３１０は液晶を間に置いてお互いに対向するカラーフィルター基板１３１２及び薄膜トランジスター基板１３１４を含むことができる。
【０２１６】
カラーフィルター基板１３１２は液晶パネル１３１０を通じてディスプレイされる画像の色を具現することができる。
【０２１７】
カラーフィルター基板１３１２はガラスやプラスチックなどのような透明な材質の基板上に薄膜に形成されたカラーフィルターアレイ、例えば、赤/緑/青色カラーフィルターを含むことができる。ここで、カラーフィルター基板１３１２の上部に上部偏光板が配置されることができる。
【０２１８】
薄膜トランジスター基板１３１４は駆動フィルム１２１６を通じて複数の回路部品が実装される印刷回路基板１２１８と電気的に接続されている。
前記薄膜トランジスター基板１３１４は印刷回路基板１２１８から提供される駆動信号に応答して印刷回路基板１２１８から提供される駆動電圧を液晶に印加することができる。
【０２１９】
薄膜トランジスター基板１３１４はガラスやプラスチックなどのような透明な材質の他の基板上に薄膜に形成された薄膜トランジスター及び画素電極を含むことができる。
【０２２０】
ここで、前記薄膜トランジスター基板１３１４の下部に下部偏光板が附着することができる。
【図面の簡単な説明】
【０２２１】
【図１】本発明の一つの実施形態に係る液晶表示装置を示す断面図。
【図２】図１の液晶パネルの一つの実施形態を示す断面図。
【図３】本発明の他の実施形態に係る液晶表示装置を示す断面図。
【図４】本発明の一つの実施形態に係る光学シートを示す斜視図。
【図５】図４に示す光学シートの側面図。
【図６】本発明の他の実施形態に係る光学シートを示す斜視図。
【図７】本発明の他の実施形態に係る光学シートを示す斜視図。
【図８】図６に示す光学シートの側面図。
【図９】本発明のまた他の実施形態に係る光学シートを示す斜視図。
【図１０】図９に示す光学シートの側面図。
【図１１】本発明のまた他の実施形態に係る光学シートを示す斜視図。
【図１２】本発明のまた他の実施形態に係る光学シートを示す斜視図。
【図１３】図１１に示す光学シートの側面図。
【図１４】本発明の一つの実施形態に係る光学シートを示す斜視図。
【図１５】図１４に示す光学シートの平面図。
【図１６】本発明の他の実施形態に係る光学シートを示す斜視図。
【図１７】本発明の他の実施形態に係る光学シートを示す斜視図。
【図１８】図１６に示す光学シートの平面図。
【図１９】本発明の他の実施形態に係る光学シートを示す斜視図。
【図２０】図１９に示す光学シートの平面図。
【図２１】本発明の他の実施形態に係る光学シートを示す斜視図。
【図２２】本発明の他の実施形態に係る光学シートを示す斜視図。
【図２３】図２１に示す光学シートの平面図。
【図２４】本発明の一つの実施形態に係る光学シートの断面図。
【図２５】本発明の一つの実施形態に係って形成された光学シートと従来プリズムシートを通じて出射される光の輝度曲線を示すグラフ。
【図２６】本発明の他の実施形態に係る光学シートの斜視図及び平面図。
【図２７】本発明の他の実施形態に係る光学シートの斜視図及び平面図。
【図２８】本発明のまた他の実施形態に係る光学シートの斜視図。
【図２９】本発明の一つの実施形態に係るバックライトユニットを示す図面。
【図３０】本発明の一つの実施形態に係るバックライトユニットを示す図面。
【図３１】本発明の他の実施形態に係るバックライトユニットを示す図面。
【図３２】本発明の他の実施形態に係るバックライトユニットを示す図面。
【図３３】本発明の一つの実施形態に係る液晶表示装置を示す図面。
【図３４】本発明の一つの実施形態に係る液晶表示装置を示す図面。
【図１】
2008242454.tif 000005
【図２】
2008242454.tif 000006
【図３】
2008242454.tif 000007
【図４】
2008242454.tif 000008
【図５】
2008242454.tif 000009
【図６】
2008242454.tif 000010
【図７】
2008242454.tif 000011
【図８】
2008242454.tif 000012
【図９】
2008242454.tif 000013
【図１０】
2008242454.tif 000014
【図１１】
2008242454.tif 000015
【図１２】
2008242454.tif 000016
【図１３】
2008242454.tif 000017
【図１４】
2008242454.tif 000018
【図１５】
2008242454.tif 000019
【図１６】
2008242454.tif 000020
【図１７】
2008242454.tif 000021
【図１８】
2008242454.tif 000022
【図１９】
2008242454.tif 000023
【図２０】
2008242454.tif 000024
【図２１】
2008242454.tif 000025
【図２２】
2008242454.tif 000026
【図２３】
2008242454.tif 000027
【図２４】
2008242454.tif 000028
【図２５】
2008242454.tif 000029
【図２６】
2008242454.tif 000030
【図２７】
2008242454.tif 000031
【図２８】
2008242454.tif 000032
【図２９】
2008242454.tif 000033
【図３０】
2008242454.tif 000034
【図３１】
2008242454.tif 000035
【図３２】
2008242454.tif 000036
【図３３】
2008242454.tif 000037
【図３４】
2008242454.tif 000038
【外国語明細書】
2008242454000001.pdf